(57)【要約】【課題】  スポットフレアを確実に除去することができる顕微鏡システム及びフレア防止光学装置を提供する。【解決手段】  光源５からの照明光が入射されるコンデンサ６の端部で、コンデンサ６の瞳位置の近傍に、入射光の光束全体を覆うことなく、中央光束のみを遮光する程度の大きさの遮光板１６３を有する遮光手段１６を配置する。【選択図】      図１
2006330359.tif 000002
【特許請求の範囲】
【請求項１】
光源と、
前記光源からの光を標本に照射させる光学部材を有する光学系と、
前記標本の光学像を撮像する撮像手段と、
前記光学部材の瞳位置近傍に配置されるとともに、前記光源からの光の中央光束を遮光する遮光手段と、
を具備したことを特徴とする顕微鏡システム。
【請求項２】
前記光学部材はコンデンサからなり、前記遮光手段は、前記コンデンサの瞳位置近傍に配置されるとともに、前記光源から前記コンデンサに入射される光の中央光束を遮光することを特徴とする請求項１記載の顕微鏡システム。
【請求項３】
前記遮光手段は、前記光源からの光の中央光束を遮光する遮光板を有することを特徴とする請求項１又は２記載の顕微鏡システム。
【請求項４】
前記光源は、赤外域波長の光を発生し、前記遮光手段は、前記光源からの光の中央光束の赤外域波長の光強度を減衰させるフィルタを有することを特徴とする請求項１又は２記載の顕微鏡システム。
【請求項５】
前記遮光手段は、前記光学部材の光軸に挿脱可能に設けられることを特徴とする請求項１乃至４のいずれかに記載の顕微鏡システム。
【請求項６】
前記遮光手段は、前記光学部材の光軸に異なる遮光部材を選択的に挿脱可能にしたことを特徴とする請求項１又は２記載の顕微鏡システム。
【請求項７】
光源の光を標本に照射する光学系に配置される光学部材と、
前記光学部材の瞳位置近傍に配置されるとともに、前記光源からの光の中央光束を遮光する遮光手段と、
を具備したことを特徴とするフレア防止光学装置。
【発明の詳細な説明】
【技術分野】
【０００１】
本発明は、フレア防止機能を備えた顕微鏡システム及びフレア防止光学装置に関するものである。
【背景技術】
【０００２】
従来、顕微鏡システムとして、例えば、図８及び図９に示すように撮像手段を有するものが知られている。図において、１０１は顕微鏡本体で、この顕微鏡本体１０１の上部には、標本１０２が載置されるステージ１０３が配置されている。また、顕微鏡本体１０１には、支持部材１０４が直立して設けられ、この支持部材１０４の先端にランプハウス１０５が配置されている。ランプハウス１０５には、ハロゲンランプ、水銀等などの透過照明光源が設けられ、この透過照明光源からの光束は、コンデンサ１０６を介して標本１０２に照射される。また、標本１０２を透過した光は、対物レンズ１０７に入射する。対物レンズ１０７は、ステージ１０３の下方にあってレボルバー１０８に複数保持され択一的に観察光軸Ｘ上に配置される。また、対物レンズ１０７を透過した光は、不図示の結像レンズにより標本１０２の拡大像として形成され、反射ミラー１０９により斜め上方向（水平に対し４５°の角度）に反射され、不図示のリレー光学系によってリレーされた後に観察鏡筒１１０に取り付けられた接眼レンズ１１１に入射して、観察者の目に到達し観察される。また、対物レンズ１０７を通る観察光軸Ｘ上には、反射ミラー１０９との間に、分割プリズム１１２が配置されている。分割プリズム１１２は、標本１０２からの光を観察光軸Ｙと観察光軸Ｚのそれぞれの方向に２分割するものである。そして、分割プリズム１１２で分割された一方の観察光軸Ｙ上には、撮像手段接続用のアダプタ本体１１３が顕微鏡本体１０１に着脱自在に設けられている。このアダプタ本体１１３には、撮像手段としてテレビカメラ１１４が組付けられる。また、他方の観察光軸Ｚには、上述の反射ミラー１０９が配置されている。
【０００３】
このような従来の顕微鏡システムでは、標本１０２の観察を行うは、標本１０２をステージ１０３上に載置した状態で、ランプハウス１０５の透過照明光源からの照明光が、コンデンサ１０６によって集光され、ステージ１０３上の標本１０２を照明される。すると、標本１０２の像が対物レンズ１０７を透過して分割プリズム１１２に導かれ、観察光軸Ｚと撮像光軸Ｙとに２分割される。そして、観察光軸Ｚ側に分割された光は、反射ミラー１０９により斜め上方向（水平に対し４５°の角度）に反射され、不図示のリレー光学系を介して観察鏡筒１１０の接眼レンズ１１１に入射し、観察者により直接観察される。また、観察光軸Ｙ側に分割された光は、アダプタ本体１１３の不図示の投影レンズに導かれ、テレビカメラ１１４の撮像素子(不図示)に投影されて撮像され、さらに不図示のモニタに表示され観察される。
【特許文献１】特開平２００３−１７２８８１号公報
【特許文献２】特開平０８−８７７２４号公報
【発明の開示】
【発明が解決しようとする課題】
【０００４】
ところが、このように構成した顕微鏡システムによると、例えば、標本１０２を透過する光量が大きく、しかも指向性が強いような場合、分割プリズム１１２を反射し、さらにテレビカメラ１１４の撮像素子の表面(あるいは撮像素子の表面に防塵用として配されるカバーガラス)で反射した光が、再び分割プリズム１１２の表面で反射して、テレビカメラ１１４の撮像素子の表面に戻り、この戻った光の中心が明るく強調されることがある。また、ランプハウス１０５の光源として赤外域波長の光を用いたような場合、レンズややプリスムのような光学部材の殆どは、赤外域での透過率が高くないため、赤外光を反射してしまい、これが上述したのと同様に光の中心付近が明るく強調されることがある。
【０００５】
つまり、これらいずれの場合も、光の中心部分が明るく強調される、いわゆるスポットフレアが観察画像上に発生することがあり、標本１０２の観察を行う際に、誤観察を招くおそれがあった。このようなスポットフレアは、特に、最近の顕徴鏡システムの撮像手段として用いられるテレビカメラやデジタルカメラ等の撮像カメラの撮像素子の高画素化や高感度化により、さらに顕著に現れることがあり、標本１０２の観察精度を低下させる原因になっている。
【０００６】
そこで、従来、特許文献１に開示されるようにＴＶカメラの前面に接続されるアダプタ内部に減光フィルタを所定の角度傾けて配置し、この減光フィルタにより撮像素子の表面で繰り返し反射するフレアを減光するとともに、フレアの反射方向を撮像素子から外すようにしたものや、特許文献２に開示されるように対物レンズ系と試料の間に偏光板を配置し、入射光と検出光の波長を４５°ずらすことによりフレアを防止するようにしたものなどが考えられている。
【０００７】
しかし、これら減光フィルタや偏光板を用いたものは、いずれもフレアを減光させる程度のものであるため、強度の強い光の場合は、スポットフレアを除去するのが難しく、特に、光源として赤外域波長の光を用いた場合には、完全にスポットフレアを除去できないことがあるという問題があった。
【０００８】
本発明は上記事情に鑑みてなされたもので、スポットフレアを確実に除去することができる顕微鏡システム及びフレア防止光学装置を提供することを目的とする。
【課題を解決するための手段】
【０００９】
請求項１記載の発明は、光源と、前記光源からの光を標本に照射させる光学部材を有する光学系と、前記標本の光学像を撮像する撮像手段と、前記光学部材の瞳位置近傍に配置されるとともに、前記光源からの光の中央光束を遮光する遮光手段と、を具備したことを特徴としている。
【００１０】
請求項２記載の発明は、請求項１記載の発明において、前記光学部材はコンデンサからなり、前記遮光手段は、前記コンデンサの瞳位置近傍に配置されるとともに、前記光源から前記コンデンサに入射される光の中央光束を遮光することを特徴としている。
【００１１】
請求項３記載の発明は、請求項１又は２記載の発明において、前記遮光手段は、前記光源からの光の中央光束を遮光する遮光板を有することを特徴としている。
【００１２】
請求項４記載の発明は、請求項１又は２記載の発明において、前記光源は、赤外域波長の光を発生し、前記遮光手段は、前記光源からの光の中央光束の赤外域波長の光強度を減衰させるフィルタを有することを特徴としている。
【００１３】
請求項５記載の発明は、請求項１乃至４のいずれかに記載の発明において、前記遮光手段は、前記光学部材の光軸に挿脱可能に設けられることを特徴としている。
【００１４】
請求項６記載の発明は、請求項１又は２記載の発明において、前記遮光手段は、前記光学部材の光軸に異なる遮光部材を選択的に挿脱可能にしたことを特徴としている。
【００１５】
請求項７記載の発明は、光源の光を標本に照射する光学系に配置される光学部材と、前記光学部材の瞳位置近傍に配置されるとともに、前記光源からの光の中央光束を遮光する遮光手段と、を具備したことを特徴としている。
【発明の効果】
【００１６】
本発明によれば、スポットフレアを確実に除去することができる顕微鏡システム及びフレア防止光学装置を提供できる。
【発明を実施するための最良の形態】
【００１７】
以下、本発明の実施の形態を図面に従い説明する。
【００１８】
（第１の実施の形態）
図１乃至図３は、本発明の第１の実施の形態にかかる顕微鏡システムの概略構成を示すもので、図１は倒立顕微鏡の側面図、図２は正面図及び図３は要部の概略構成図を示している。  
図１及び図２において、１は顕微鏡本体で、この顕微鏡本体１のステージ固定部である前側固定部１ａと後側固定部１ｂ上には、ステージ２が配置されている。また、このステージ２上には標本３が載置されている。
【００１９】
顕微鏡本体１には、ステージ２上方に向け照明支柱４が設けられている。この照明支柱４は、先端部をほぼ直角に折り曲げられ、この先端部がステージ２面に対して水平方向に配置されている。  
照明支柱４の先端部には、透過照明用の光源５が設けられている。この光源５には、ハロゲンランプや水銀ランプなどが用いられる。
【００２０】
また、照明支柱４には、コンデンサ６が設けられている。このコンデンサ６は、光源５の照明光路上に、不図示の減光フィルタやフロストガラスのような光学素子とともに配置されており、光源５からの照明光を標本３の位置に照射するようになっている。
【００２１】
ステージ２の下方には、対物レンズ７が配置されている。対物レンズ７は、倍率の異なる複数本（図面では１本のみを示している。）がレボルバー８に保持されている。レボルバー８は、回転操作可能になっていて、複数本の対物レンズ７を択一的に光軸Ｘ上に位置させるようになっている。また、レボルバー８は、顕微鏡本体１に図示しない保持部材を介して保持されるとともに、焦準ハンドル９の操作により光軸Ｘに沿って上下動され、ステージ２と対物レンズ７との相対距離を変化させ、標本３のピント合わせを可能にしている。
【００２２】
レボルバー８下方の光軸上には、反射ミラー１０が設けられている。反射ミラー１０は、標本３を透過し対物レンズ７と不図示の結像レンズにより拡大された観察像を斜め上方向（水平に対し４５°の角度）に反射させるようにしている。
【００２３】
反射ミラー１０で反射された観察像は、図示しないリレー光学系でリレーされ、観察手段として観察鏡筒１１に取り付けられた接眼レンズ１２に入射し、観察者により目視観察されるようになっている。
【００２４】
対物レンズ７を通る観察光軸Ｘ上には、反射ミラー１０との間に分割プリズム１３が配置されている（図２参照）。分割プリズム１３は、観察光軸Ｘを観察光軸Ｙと観察光軸Ｚに２分割するものである。この場合、観察光軸Ｙは、観察光軸と直交し顕微鏡本体１の側面方向に延び、又、観察光軸Ｚは、観察光軸Ｘに沿って上述の反射ミラー１０の方向に延びている。
【００２５】
顕微鏡本体１の側面には、観察光軸Ｙ上に撮像手段接続用のアダプタ本体１４が着脱自在に設けられている。このアダプタ本体１４には、撮像手段としてテレビカメラ１５が組付けられている。  
一方、コンデンサ６には、遮光手段１６が設けられている。この遮光手段１６は、図４に示すようにコンデンサ６の光源５から照明光が入射される端部６１に取付けられる環状の枠部１６１と、この環状の枠部１６１の中心部に複数の支持腕１６２を介して支持された遮光部材としての円板状の遮光板１６３を有している。この場合、遮光板１６３は、コンデンサ６に入射される照明光の光束全体を覆うことなく、中央光束のみを遮光する程度の大きさで、コンデンサ６の瞳位置の近傍に配置される。なお、遮光板１６３は、スポットフレアを除去できる形状であれば円形に限らない。
【００２６】
次に、このように構成した第１の実施の形態の作用を説明する。  
まず、スポットフレアの発生状態を簡単に説明する。テレビカメラ１５の撮像素子の受光面の前面(光が入射する側)には、防塵などの受光面保護のために略平行平面形状をしたガラスやガラスブロックなどの平行平面ガラスが設けられている。このようなテレビカメラ１５を顕微鏡本体１に接続して観察像の撮像を行なうと、平行平面ガラスで主にフレアが発生する。その原因は、平行平面ガラスの表面の反射率が比較的高いからで、テレビカメラ１５の撮像素子の受光面に入射する光のうち、一部の光は平行平面ガラスで反射し、この反射光が顕微鏡内部のレンズなどの光学素子で、再び撮像素子に向かって反射される。これが複数回繰り返され、いわゆる多重反射が生じ、その結果として、スポットフレアを多数生じる。このとき、平行平面ガラス表面の反射率が高いと、スポットフレアの光量(光強度)が大きくなり、このスポットフレアが観察像と一緒に撮像素子により撮像されることになる。また、レンズなどの場合、反射が繰り返される光軸近傍ではレンズ面の形状が平面に近いので、さらに明るいスポットフレアが発生しやすい。
【００２７】
このようなことから、いま、コンデンサ６に遮光手段１６を装着し、この状態で光源５を点灯する。光源５から発せられた照明光は、不図示の減光フィルタやフロストガラスのような光学素子を透過し、これら光学素子による作用を受けた状態で、遮光手段１６を介してコンデンサ６に入射する。入射された照明光は、遮光手段１６の遮光板１６３により中央光束が遮光され、コンデンサ６を介して標本３上に集光される。この場合、照明光の中央光束を遮光する遮光板１６３は、コンデンサ６の瞳位置の近傍に配置されるので、照明系として周知のケーラー照明が構成されていれば、標本３上の照明ムラがなくなる。また、照明光の中央光束を遮光することで、瞳と共役の位置に近い場所で発生するスポットフレアを抑制することができる。一方、遮光手段１６により中央光束の遮光及び減光を行なうことは、標本３の光学像を観察する際に、像が暗くなると傾向があるが、遮光手段１６を照明系に配置し、またコンデンサ６の瞳と共役の位置に近い場所で中央光束を遮光するようにすることで、光学性能の劣化を最小限に抑えることができる。
【００２８】
標本３を透過した光は、対物レンズ７を透過して分割プリズム１３に導かれ、観察光軸Ｚと撮像光軸Ｙとに２分割される。そして、観察光軸Ｚ側に分割された光は、反射ミラー１０により斜め上方向（水平に対し４５°の角度）に反射され、不図示のリレー光学系を介して観察鏡筒１１の接眼レンズ１２に入射し、観察者により直接観察される。また、撮像光軸Ｙに分割された光は、アダプタ本体１４の不図示の投影レンズに導かれ、テレビカメラ１５の撮像素子(不図示)に投影されて撮像され、観察画像データとして取得される。
【００２９】
この場合、テレビカメラ１５の撮像素子に導かれる光の一部は、テレビカメラ１５前面に設けられた不図示の平行平面ガラスで反射し、撮像光軸Ｙを逆行して分割プリズム１３表面で反射し、再びテレビカメラ１５の撮像素子に入射されるようになる。しかし、この場合、標本３に照射される照明光は、遮光手段１６により中央光束が遮光され、中央部付近は回折光のみで強度が大幅に弱められているので、スポットフレアの発生を防ぐことができる。
【００３０】
その後、テレビカメラ１５で取得された観察画像データは、例えばオートゲインコントロール機能により自動調光されてモニタ(不図示)に表示される。
【００３１】
したがって、このようにすれば、光源５からの照明光が入射されるコンデンサ６の端部で、コンデンサ６の瞳位置の近傍に、入射光の光束全体を覆うことなく、中央光束のみを遮光する程度の大きさの遮光板１６３を有する遮光手段１６を配置することにより、撮像画面中央付近に現れるスポットフレアを確実に除去することができ、光学性能の劣化の少ない良好な画像が取得することができる。また、このことはテレビカメラ１５側でのスポットフレアを防止するための対策が必要でなくなるため、ユーザが所望するテレビカメラ１５を使用することができ、標本３に対し最適な観察像を取得することができる。
【００３２】
(第２の実施の形態)
次に、本発明の第２の実施の形態を説明する。
【００３３】
この場合、第２の実施の形態の顕微鏡システムの概略構成は、図１乃至図３と同様なので、これらの図面を援用するものとする。
【００３４】
このような構成において、光源５は、赤外域の波長の光、つまり赤外光を発するものを使用している。このため、全光路について、赤外光をカットするフィルタは入っていない。また、コンデンサ６には、遮光手段１６に代えて、遮光手段としてのフィルタ部１７が配置されている。このフィルタ部１７は、図５（ａ）（ｂ）に示すようにコンデンサ６の光源５から照明光が入射される端部６１に取付けられる環状の枠部１７１と、この環状の枠部１７１の中心部に複数の支持腕１７２を介して支持された遮光部材としての円板状の例えばロボンガラスのような熱線吸収フィルタ１７３を有している。この熱線吸収フィルタ１７３は、照明光の赤外波長域の光強度を減衰させような特性を有するもので、コンデンサ６に入射される照明光の光束全体を覆うことなく、中央光束のみに対応する程度の大きさを有している。また、この熱線吸収フィルタ１７は、コンデンサ６の瞳位置の近傍に配置される。なお、熱線吸収フィルタ１７３の形状は、円形形状に限らない。
【００３５】
次に、このように構成した第２の実施の形態の作用を説明する。  
いま、コンデンサ６端部にフィルタ部１７を装着し、この状態で光源５を点灯すると、光源５から発せられた赤外波長域の光を含む照明光は、不図示の光学素子を透過し、これら光学素子による作用を受けた状態でフィルタ部１７を介してコンデンサ６に入射する。入射された照明光は、フィルタ部１７の熱線吸収フィルタ１７３により中央光束の赤外域波長の光強度のみが減衰され、コンデンサ６を介して標本３上に集光される。つまり、光源５からの照明光は、熱線吸収フィルタ１７３により、照明光の中央光束の赤外波長域の光強度が変化されるが、熱線吸収フィルタ１７３を外れたところでは、赤外域波長の光強度は減衰されることなく、そのままコンデンサ６に入射し、標本３上に集光される。この場合、熱線吸収フィルタ１７３は、コンデンサ６の瞳位置に近接して配置されるので、照明系として周知のケーラー照明が構成されていれば、標本３上の照明ムラがなくなる、また、照明光の中央光束の赤外域波長の光強度を減衰させることで、瞳と共役の位置に近い場所で発生するスポットフレアも抑制することができる。
【００３６】
標本３を透過した光は、対物レンズ７を透過して分割プリズム１３に導かれ、観察光軸Ｚと撮像光軸Ｙとに２分割される。そして、観察光軸Ｚ側に分割された光は、反射ミラー１０により斜め上方向に反射され、不図示のリレー光学系を介して観察鏡筒１１の接眼レンズ１２に入射し、観察者により直接観察される。また、撮像光軸Ｙに分割された光は、アダプタ本体１４の不図示の投影レンズに導かれ、テレビカメラ１５の撮像素子(不図示)に投影されて撮像され、観察画像データとして取得される。
【００３７】
この場合も、テレビカメラ１５の撮像素子に導かれる光の一部は、テレビカメラ１５前面に設けられた不図示の平行平面ガラスで反射し、撮像光軸Ｙを逆行して分割プリズム１３表面で反射し、再びテレビカメラ１５の撮像素子に入射されるようになる。しかし、この場合、標本３に照射される照明光は、熱線吸収フィルタ１７３により中央光束付近の赤外域波長の光強度が大幅に減衰されていて、可視光と熱線吸収フィルタ１７３の外側を通る赤外域波長の光の回折光のみになっているので、スポットフレアの発生を防ぐことができる。
【００３８】
その後、テレビカメラ１５で取得された観察画像データは、例えばオートゲインコントロール機能により自動調光されてモニタ(不図示)に表示される。
【００３９】
したがって、このようにしても、光源５からの照明光が入射されるコンデンサ６の端部で、コンデンサ６の瞳位置の近傍に、照明光の赤外波長域の光強度を減衰させような特性を有し、コンデンサ６に入射される照明光の光束全体を覆うことなく、中央光束のみに対応する程度の大きさの熱線吸収フィルタ１７３を配置することにより、撮像画面中央付近に現れるスポットフレアを確実に除去することができ、スポットフレアのない良好な画像が取得することができる。また、照明光中央の赤外波長域の光のみを減衰させるため、通常観察への影響は全くなくすることもできる。
【００４０】
(第３の実施の形態)
次に、本発明の第３の実施の形態を説明する。  
この場合、第３の実施の形態の顕微鏡システムの概略構成は、図１及び図２と同様なので、これらの図面を援用するものとする。  
図６は、第３の実施の形態の顕微鏡システムの要部の概略構成で、図１及び図２と同一部分には、同符号を付している。
【００４１】
この場合、コンデンサ６には、遮光手段切換え手段としてスライダー２１が設けられている。このスライダー２１は、コンデンサ６の横穴６２から光軸に直交する面に沿って図示矢印方向に直線移動可能にしたもので、この移動により光路に対し遮光手段を挿脱するようにしている。このスライダー２１は、図７（ａ）（ｂ）に示すように長方形をした板状のスライダー本体２１ａ表面に、長手方向に沿って複数（図示例では２個）の孔部２１ｂ、２１ｃが所定の間隔をおいて形成されている。このうち一方の孔部２１ｂは、遮光手段２２が設けられ、他方の孔部２１ｃは、空穴になっている。遮光手段２２は、環状の枠体２２ａを有し、この環状の枠体２２ａの中心部に複数の支持腕２２ｂを介して遮光部材２２ｃが支持されている。ここでの遮光部材２２ｃは、図４で述べた遮光板１６３や図５で述べた熱線吸収フィルタ１７３の他、ＩＲカットフィルタなどが考えられる。図示例では、遮光部材２２ｃとして図４で述べた遮光板が設けられた場合を示している。そして、このような遮光手段２２は、環状の枠体２２ａが孔部２１ｂ内に嵌合され、上部より押え環２３が挿入され、不図示のねじにより固定される。
【００４２】
また、スライダー本体２１ａの側面には、孔部２１ｂ、２１ｃに対応して位置決め用の溝部２１ｄ、２１ｅが設けられている。これら溝部２１ｄ、２１ｅは、孔部２１ｂ又は２１ｃがコンデンサ６の光軸上、つまり光路上に位置した状態で、不図示のボールを落とし込み、スライダー本体２１ａの位置決めを行なうようになっている。
【００４３】
このような構成において、光源５を点灯すると、光源５から発せられた照明光は、不図示の光学素子を透過し、これら光学素子による作用を受けた状態で、コンデンサ６に入射する。
【００４４】
その際に、コンデンサ６の横穴６２からスライダー本体２１ａを挿入し、孔部２１ｂをコンデンサ６の光軸上、つまり光路上に位置させた状態で、溝部２１ｄに不図示のボールを落とし込み、スライダー本体２１ａの位置決めを行なう。この状態では、孔部２１ｂに組み込まれた遮光手段２２の遮光部材２２ｃここでは図４で述べた遮光板１６３）により照明光の中央光束が遮光され、第１の実施の形態で述べたと同様にしてスポットフレアの発生を防ぐことができる。
【００４５】
また、スライダー本体２１ａを、さらに挿入し、孔部２１ｃをコンデンサ６の光軸上、つまり光路上に位置させた状態で、溝部２１ｅに不図示のボールを落とし込み、スライダー本体２１ａの位置決めを行なうと、この状態では、空穴が光路上に位置されるので、通常の標本観察を行なうことができる。
【００４６】
したがって、このようにすれば、スライダー本体２１ａを操作することで、遮光手段２２を光路に挿脱できるので、光源５に応じて遮光手段２２を、スポットフレアの強度、大きさに応じて最適なものを選択でき、ユーザーが所望するスポットフレア対策を実行することが可能である。
【００４７】
なお、上述した第３の実施の形態では、遮光部材２２ｃとして、図４で述べた遮光板１６３の場合を述べたが、図５で述べた熱線吸収フィルタ１７３であってもよい。また、スライダー本体２１ａに２個の孔部２１ｂ、２１ｃを形成した例を述べたが、３個以上であってもよい。この場合は、遮光部本体２２ｃとして、図４で述べた遮光板１６３と図５で述べた熱線吸収フィルタ１７３をそれぞれ設け、これら異なる遮光部材を選択的に挿脱することができる。
【００４８】
その他、本発明は、上記実施の形態に限定されるものでなく、実施段階では、その要旨を変更しない範囲で種々変形することが可能である。例えば、上述した実施の形態では、一貫して倒立顕微鏡について述べているが、正立顕微鏡についても適用できる。この場合、光源からの光を標本に照射させる光学部材は、対物レンズとなり、この対物レンズの瞳位置近傍に遮光手段が配置されるようになる。
【００４９】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００５０】
【図１】本発明の第１の実施の形態にかかる顕微鏡システムの概略構成を示す顕微鏡側面図。
【図２】第１の実施の形態にかかる顕微鏡システムの概略構成を示す顕微鏡正面図。
【図３】第１の実施の形態にかかる顕微鏡システムの要部の概略構成を示す図。
【図４】第１の実施の形態に用いられる遮光部材の概略構成を示す図。
【図５】本発明の第２の実施の形態に用いられるフィルタ部の概略構成を示す図。
【図６】本発明の第３の実施の形態の顕微鏡システムの要部の概略構成を示す図。
【図７】第３の実施の形態に用いられるスライダーの概略構成を示す図。
【図８】従来の顕微鏡システムの概略構成を示す顕微鏡側面図。
【図９】従来の顕微鏡システムの概略構成を示す顕微鏡正面図。
【符号の説明】
【００５１】
１…顕微鏡本体、１ａ…前側固定部、１ｂ…後側固定部
２…ステージ、３…標本
４…照明支柱、５…光源
６…コンデンサ、６１…端部、６２…横穴
７…対物レンズ、８…レボルバー
９…焦準ハンドル、１０…反射ミラー
１１…観察鏡筒、１２…接眼レンズ
１３…分割プリズム、１４…アダプタ本体
１５…テレビカメラ、１６…遮光手段
１６１…枠部、１６２…支持腕、１６３…遮光板
１７…フィルタ部、１７１…枠部、１７２…支持腕
１７３…熱線吸収フィルタ、２１…スライダー
２１ａ…スライダー本体、２１ｂ．２１ｃ…孔部
２１ｄ．２１ｅ…溝部、２２…遮光手段
２２ａ…枠体、２２ｂ…支持腕、２２ｃ…遮光部材
２３…押え環
【図１】
2006330359.tif 000003
【図２】
2006330359.tif 000004
【図３】
2006330359.tif 000005
【図４】
2006330359.tif 000006
【図５】
2006330359.tif 000007
【図６】
2006330359.tif 000008
【図７】
2006330359.tif 000009
【図８】
2006330359.tif 000010
【図９】
2006330359.tif 000011